(57)【要約】  本発明の実施形態は、リソース指示方法および関連デバイスおよびシステムを開示する。方法は、基地局によって、時間-周波数リソース指示情報を第1の端末に送信するステップであって、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである、ステップと、第2の時間-周波数リソース内にあり、第1の時間-周波数リソースと重複しない時間-周波数リソースを使用することによって、基地局によって、第1の端末とのデータ伝送を実行するステップとを含む。本発明の実施形態では、時間-周波数リソース利用が改善されることができ、短い待ち時間のサービスのタイムリーな処理が保証されることができる。
2019521563.tif 000002
【特許請求の範囲】
【請求項１】
リソース指示方法であって、
基地局によって、時間-周波数リソース指示情報を第1の端末に送信するステップであって、前記時間-周波数リソース指示情報は、第1の時間-周波数リソースが、前記基地局によって第2の端末に割り当てられていることを示すために使用され、前記第1の時間-周波数リソースの時間領域は、第2の時間-周波数リソースの時間領域の一部であり、前記第2の時間-周波数リソースは、前記基地局によって、データ伝送のために前記第1の端末に割り当てられる時間-周波数リソースである、ステップと、
前記第2の時間-周波数リソース内にあり、前記第1の時間-周波数リソースと重複しない時間-周波数リソースを使用することによって、前記基地局によって、前記第1の端末とのデータ伝送を実行するステップとを含む方法。
【請求項２】
基地局によって、時間-周波数リソース指示情報を第1の端末に送信する前記ステップは、
第kのサブフレーム内の制御チャネル上で、前記時間-周波数リソース指示情報を前記第1の端末に送信するステップであって、前記第1の時間-周波数リソースの前記時間領域は、第k-uのサブフレーム内にあり、kおよびuの両方は正の整数であり、k>uである、ステップを含む、請求項1に記載の方法。
【請求項３】
前記第1の時間-周波数リソースの前記時間領域は、第mの事前に設定された伝送時間単位と等しく、基地局によって、時間-周波数リソース指示情報を第1の端末に送信する前記ステップは、
第nの事前に設定された伝送時間単位の制御チャネル上で、前記時間-周波数リソース指示情報を前記第1の端末に送信するステップであって、mおよびnの両方は正の整数であり、m<nである、ステップを含む、請求項1に記載の方法。
【請求項４】
前記時間-周波数リソース指示情報は、前記第1の時間-周波数リソースが、前記基地局によって前記第2の端末に割り当てられていること、および、第3の時間-周波数リソースが、別の端末に割り当てられていることを示すために使用され、前記第3の時間-周波数リソースの時間領域は、第tの事前に設定された伝送時間単位と等しく、tは正の整数であり、t<nであり、tはmと等しくない、請求項3に記載の方法。
【請求項５】
前記第1の時間-周波数リソースの前記時間領域は、第mの事前に設定された伝送時間単位と等しく、基地局によって、時間-周波数リソース指示情報を第1の端末に送信する前記ステップは、
前記第mの事前に設定された伝送時間単位の制御チャネル上で、前記時間-周波数リソース指示情報を前記第1の端末に送信するステップであって、mは正の整数である、ステップを含む、請求項1に記載の方法。
【請求項６】
基地局によって、時間-周波数リソース指示情報を第1の端末に送信する前記ステップの前に、前記方法は、
前記基地局によって、時間-周波数リソース分割情報を前記第1の端末に送信するステップであって、前記時間-周波数リソース分割情報は、前記第1の時間-周波数リソースが、事前に設定された時間-周波数範囲における時間-周波数リソースであることを示すために使用され、前記事前に設定された時間-周波数範囲は、システム帯域幅における部分時間-周波数リソースである、ステップをさらに含む、請求項1乃至5のいずれか1項に記載の方法。
【請求項７】
前記時間-周波数リソース分割情報は、システム情報ブロックSIBで搬送される、請求項6に記載の方法。
【請求項８】
前記時間-周波数リソース指示情報は、ダウンリンク制御情報DCIであり、前記DCIは、前記第1の時間-周波数リソースを示すフィールドを含む、請求項1乃至7のいずれか1項に記載の方法。
【請求項９】
前記DCIの長さは、フォーマット1AにおけるDCIの長さまたはフォーマット1CにおけるDCIの長さと同じである、請求項8に記載の方法。
【請求項１０】
前記DCIの前記長さが、前記フォーマット1Aにおける前記DCIの前記長さと同じである場合、前記DCIのスクランブリングシーケンスは、前記フォーマット1Aにおける前記DCIのスクランブリングシーケンスとは異なり、または、前記DCIの前記長さが、前記フォーマット1Cにおける前記DCIの前記長さと同じである場合、前記DCIのスクランブリングシーケンスは、前記フォーマット1Cにおける前記DCIのスクランブリングシーケンスとは異なる、請求項9に記載の方法。
【請求項１１】
基地局によって、時間-周波数リソース指示情報を第1の端末に送信する前記ステップは、
前記時間-周波数リソース指示情報を、少なくとも2つの端末に送信するステップであって、前記少なくとも2つの端末は、前記第1の端末を含む、ステップを含む、請求項1乃至10のいずれか1項に記載の方法。
【請求項１２】
リソース指示方法であって、
第1の端末によって、基地局によって送信された時間-周波数リソース指示情報を受信するステップであって、前記時間-周波数リソース指示情報は、第1の時間-周波数リソースが、前記基地局によって第2の端末に割り当てられていることを示すために使用され、前記第1の時間-周波数リソースの時間領域は、第2の時間-周波数リソースの時間領域の一部であり、前記第2の時間-周波数リソースは、前記基地局によって、データ伝送のために前記第1の端末に割り当てられる時間-周波数リソースである、ステップと、
前記第2の時間-周波数リソース内にあり、前記第1の時間-周波数リソースと重複しない時間-周波数リソースを使用することによって、前記第1の端末によって、前記基地局とのデータ伝送を実行するステップとを含む方法。
【請求項１３】
第1の端末によって、基地局によって送信された時間-周波数リソース指示情報を受信する前記ステップは、
第kのサブフレーム内の制御チャネル上で、前記基地局によって送信された前記時間-周波数リソース指示情報を受信するステップであって、前記第1の時間-周波数リソースの前記時間領域は、第k-uのサブフレーム内にあり、kおよびuの両方は正の整数であり、k>uである、ステップを含む、請求項12に記載の方法。
【請求項１４】
前記第1の時間-周波数リソースの前記時間領域は、第mの事前に設定された伝送時間単位と等しく、第1の端末によって、基地局によって送信された時間-周波数リソース指示情報を受信する前記ステップは、
第nの事前に設定された伝送時間単位の制御チャネル上で、前記基地局によって送信された前記時間-周波数リソース指示情報を受信するステップであって、mおよびnの両方は正の整数であり、m<nである、ステップを含む、請求項12に記載の方法。
【請求項１５】
前記時間-周波数リソース指示情報は、前記第1の時間-周波数リソースが、前記基地局によって前記第2の端末に割り当てられていること、および、第3の時間-周波数リソースが、別の端末に割り当てられていることを示すために使用され、前記第3の時間-周波数リソースの時間領域は、第tの事前に設定された伝送時間単位と等しく、tは正の整数であり、t<nであり、tはmと等しくない、請求項14に記載の方法。
【請求項１６】
前記第1の時間-周波数リソースの前記時間領域は、第mの事前に設定された伝送時間単位と等しく、第1の端末によって、基地局によって送信された時間-周波数リソース指示情報を受信する前記ステップは、
前記第mの事前に設定された伝送時間単位の制御チャネル上で、前記基地局によって送信された前記時間-周波数リソース指示情報を受信するステップであって、mは正の整数である、ステップを含む、請求項12に記載の方法。
【請求項１７】
第1の端末によって、基地局によって送信された時間-周波数リソース指示情報を受信する前記ステップの前に、前記方法は、
前記第1の端末によって、前記基地局によって送信された時間-周波数リソース分割情報を受信するステップであって、前記時間-周波数リソース分割情報は、前記第1の時間-周波数リソースが、事前に設定された時間-周波数範囲における時間-周波数リソースであることを示すために使用され、前記事前に設定された時間-周波数範囲は、システム帯域幅における部分時間-周波数リソースである、ステップをさらに含む、請求項12乃至16のいずれか1項に記載の方法。
【請求項１８】
前記時間-周波数リソース分割情報は、システム情報ブロックSIBで搬送される、請求項17に記載の方法。
【請求項１９】
前記時間-周波数リソース指示情報は、ダウンリンク制御情報DCIであり、前記DCIは、前記第1の時間-周波数リソースを示すフィールドを含む、請求項12乃至18のいずれか1項に記載の方法。
【請求項２０】
前記DCIの長さは、フォーマット1AにおけるDCIの長さまたはフォーマット1CにおけるDCIの長さと同じである、請求項19に記載の方法。
【請求項２１】
前記DCIの前記長さが、前記フォーマット1Aにおける前記DCIの前記長さと同じである場合、前記DCIのスクランブリングシーケンスは、前記フォーマット1Aにおける前記DCIのスクランブリングシーケンスとは異なり、または、前記DCIの前記長さが、前記フォーマット1Cにおける前記DCIの前記長さと同じである場合、前記DCIのスクランブリングシーケンスは、前記フォーマット1Cにおける前記DCIのスクランブリングシーケンスとは異なる、請求項20に記載の方法。
【請求項２２】
基地局であって、前記基地局は、プロセッサ、メモリおよびトランシーバを含み、
前記メモリは、データおよびプログラムを記憶するように構成され、
前記プロセッサは、前記メモリ内の前記プログラムを呼び出して、
前記トランシーバを使用することによって、時間-周波数リソース指示情報を第1の端末に送信する操作であって、前記時間-周波数リソース指示情報は、第1の時間-周波数リソースが、前記基地局によって第2の端末に割り当てられていることを示すために使用され、前記第1の時間-周波数リソースの時間領域は、第2の時間-周波数リソースの時間領域の一部であり、前記第2の時間-周波数リソースは、前記基地局によって、データ伝送のために前記第1の端末に割り当てられる時間-周波数リソースである、操作と、
前記第2の時間-周波数リソース内にあり、前記第1の時間-周波数リソースと重複しない時間-周波数リソースを使用することによって、前記トランシーバを使用することによって、前記第1の端末とのデータ伝送を実行する操作とを実行する、基地局。
【請求項２３】
前記プロセッサが、前記トランシーバを使用することによって、前記時間-周波数リソース指示情報を前記第1の端末に送信することは、具体的には、
前記トランシーバを使用することによって、第kのサブフレーム内の制御チャネル上で、前記時間-周波数リソース指示情報を前記第1の端末に送信することであって、前記第1の時間-周波数リソースの前記時間領域は、第k-uのサブフレーム内にあり、kおよびuの両方は正の整数であり、k>uである、請求項22に記載の基地局。
【請求項２４】
前記第1の時間-周波数リソースの前記時間領域は、第mの事前に設定された伝送時間単位と等しく、前記プロセッサが、前記トランシーバを使用することによって、前記時間-周波数リソース指示情報を前記第1の端末に送信することは、具体的には、
前記トランシーバを使用することによって、第nの事前に設定された伝送時間単位の制御チャネル上で、前記時間-周波数リソース指示情報を前記第1の端末に送信することであって、mおよびnの両方は正の整数であり、m<nである、請求項22に記載の基地局。
【請求項２５】
前記時間-周波数リソース指示情報は、前記第1の時間-周波数リソースが、前記基地局によって前記第2の端末に割り当てられていること、および、第3の時間-周波数リソースが、別の端末に割り当てられていることを示すために使用され、前記第3の時間-周波数リソースの時間領域は、第tの事前に設定された伝送時間単位と等しく、tは正の整数であり、t<nであり、tはmと等しくない、請求項24に記載の基地局。
【請求項２６】
前記第1の時間-周波数リソースの前記時間領域は、第mの事前に設定された伝送時間単位と等しく、前記プロセッサが、前記トランシーバを使用することによって、前記時間-周波数リソース指示情報を前記第1の端末に送信することは、具体的には、
前記トランシーバを使用することによって、前記第mの事前に設定された伝送時間単位の制御チャネル上で、前記時間-周波数リソース指示情報を前記第1の端末に送信することであって、mは正の整数である、請求項22に記載の基地局。
【請求項２７】
前記トランシーバを使用することによって、前記時間-周波数リソース指示情報を前記第1の端末に送信する前に、前記プロセッサは、
前記トランシーバを使用することによって、時間-周波数リソース分割情報を前記第1の端末に送信するようにさらに構成され、前記時間-周波数リソース分割情報は、前記第1の時間-周波数リソースが、事前に設定された時間-周波数範囲における時間-周波数リソースであることを示すために使用され、前記事前に設定された時間-周波数範囲は、システム帯域幅における部分時間-周波数リソースである、請求項22乃至26のいずれか1項に記載の基地局。
【請求項２８】
前記時間-周波数リソース分割情報は、システム情報ブロックSIBで搬送される、請求項27に記載の基地局。
【請求項２９】
前記時間-周波数リソース指示情報は、ダウンリンク制御情報DCIであり、前記DCIは、前記第1の時間-周波数リソースを示すフィールドを含む、請求項22乃至28のいずれか1項に記載の基地局。
【請求項３０】
前記DCIの長さは、フォーマット1AにおけるDCIの長さまたはフォーマット1CにおけるDCIの長さと同じである、請求項29に記載の基地局。
【請求項３１】
前記DCIの前記長さが、前記フォーマット1Aにおける前記DCIの前記長さと同じである場合、前記DCIのスクランブリングシーケンスは、前記フォーマット1Aにおける前記DCIのスクランブリングシーケンスとは異なり、または、前記DCIの前記長さが、前記フォーマット1Cにおける前記DCIの前記長さと同じである場合、前記DCIのスクランブリングシーケンスは、前記フォーマット1Cにおける前記DCIのスクランブリングシーケンスとは異なる、請求項30に記載の基地局。
【請求項３２】
前記プロセッサが、前記トランシーバを使用することによって、前記時間-周波数リソース指示情報を前記第1の端末に送信することは、具体的には、
前記トランシーバを使用することによって、前記時間-周波数リソース指示情報を、少なくとも2つの端末に送信することであって、前記少なくとも2つの端末は、前記第1の端末を含む、請求項22乃至31のいずれか1項に記載の基地局。
【請求項３３】
第1の端末であって、前記第1の端末は、プロセッサ、メモリおよびトランシーバを含み、
前記メモリは、データおよびプログラムを記憶するように構成され、
前記プロセッサは、前記メモリ内の前記プログラムを呼び出して、
前記トランシーバを使用することによって、基地局によって送信された時間-周波数リソース指示情報を受信する操作であって、前記時間-周波数リソース指示情報は、第1の時間-周波数リソースが、前記基地局によって第2の端末に割り当てられていることを示すために使用され、前記第1の時間-周波数リソースの時間領域は、第2の時間-周波数リソースの時間領域の一部であり、前記第2の時間-周波数リソースは、前記基地局によって、データ伝送のために前記第1の端末に割り当てられる時間-周波数リソースである、操作と、
前記第2の時間-周波数リソース内にあり、前記第1の時間-周波数リソースと重複しない時間-周波数リソースを使用することによって、前記トランシーバを使用することによって、前記第1の端末とのデータ伝送を実行する操作とを実行する、第1の端末。
【請求項３４】
前記プロセッサが、前記トランシーバを使用することによって、前記基地局によって送信された前記時間-周波数リソース指示情報を受信することは、具体的には、
前記トランシーバを使用することによって、第kのサブフレーム内の制御チャネル上で、前記基地局によって送信された前記時間-周波数リソース指示情報を受信することであって、前記第1の時間-周波数リソースの前記時間領域は、第k-uのサブフレーム内にあり、kおよびuの両方は正の整数であり、k>uである、請求項33に記載の第1の端末。
【請求項３５】
前記第1の時間-周波数リソースの前記時間領域は、第mの事前に設定された伝送時間単位と等しく、前記プロセッサが、前記トランシーバを使用することによって、前記基地局によって送信された前記時間-周波数リソース指示情報を受信することは、具体的には、
前記トランシーバを使用することによって、第nの事前に設定された伝送時間単位の制御チャネル上で、前記基地局によって送信された前記時間-周波数リソース指示情報を受信することであって、mおよびnの両方は正の整数であり、m<nである、請求項33に記載の第1の端末。
【請求項３６】
前記時間-周波数リソース指示情報は、前記第1の時間-周波数リソースが、前記基地局によって前記第2の端末に割り当てられていること、および、第3の時間-周波数リソースが、別の端末に割り当てられていることを示すために使用され、前記第3の時間-周波数リソースの時間領域は、第tの事前に設定された伝送時間単位と等しく、tは正の整数であり、t<nであり、tはmと等しくない、請求項35に記載の第1の端末。
【請求項３７】
前記第1の時間-周波数リソースの前記時間領域は、第mの事前に設定された伝送時間単位と等しく、前記プロセッサが、前記トランシーバを使用することによって、前記基地局によって送信された前記時間-周波数リソース指示情報を受信することは、具体的には、
前記トランシーバを使用することによって、前記第mの事前に設定された伝送時間単位の制御チャネル上で、前記基地局によって送信された前記時間-周波数リソース指示情報を受信することであって、mは正の整数である、請求項33に記載の第1の端末。
【請求項３８】
前記トランシーバを使用することによって、前記基地局によって送信された前記時間-周波数リソース指示情報を受信する前に、前記プロセッサは、
前記トランシーバを使用することによって、前記基地局によって送信された時間-周波数リソース分割情報を受信するようにさらに構成され、前記時間-周波数リソース分割情報は、前記第1の時間-周波数リソースが、事前に設定された時間-周波数範囲における時間-周波数リソースであることを示すために使用され、前記事前に設定された時間-周波数範囲は、システム帯域幅における部分時間-周波数リソースである、請求項33乃至37のいずれか1項に記載の第1の端末。
【請求項３９】
前記時間-周波数リソース分割情報は、システム情報ブロックSIBで搬送される、請求項38に記載の第1の端末。
【請求項４０】
前記時間-周波数リソース指示情報は、ダウンリンク制御情報DCIであり、前記DCIは、前記第1の時間-周波数リソースを示すフィールドを含む、請求項33乃至39のいずれか1項に記載の第1の端末。
【請求項４１】
前記DCIの長さは、フォーマット1AにおけるDCIの長さまたはフォーマット1CにおけるDCIの長さと同じである、請求項40に記載の第1の端末。
【請求項４２】
前記DCIの前記長さが、前記フォーマット1Aにおける前記DCIの前記長さと同じである場合、前記DCIのスクランブリングシーケンスは、前記フォーマット1Aにおける前記DCIのスクランブリングシーケンスとは異なり、または、前記DCIの前記長さが、前記フォーマット1Cにおける前記DCIの前記長さと同じである場合、前記DCIのスクランブリングシーケンスは、前記フォーマット1Cにおける前記DCIのスクランブリングシーケンスとは異なる、請求項41に記載の第1の端末。
【発明の詳細な説明】
【技術分野】
【０００１】
本発明は、通信技術の分野に関し、詳細には、リソース指示方法および関連デバイスおよびシステムに関する。
【背景技術】
【０００２】
国際電気通信連合（International Telecommunication Union, 略してITU）は、第5世代（5G）無線通信システムに対する期待および要求において3つのタイプのサービス：高度モバイルブロードバンド（Enhanced Mobile Broadband, 略してeMBB）、超高信頼低遅延通信（Ultra-reliable and Low Latency Communications, 略してURLLC）および大規模マシンタイプ通信（Massive Machine Type Communications, 略してmMTC）を定義している。3つのタイプのサービスのシナリオの概略図は、図1に示される。URLLCサービスは、待ち時間に対して非常に厳しい要件を有する。URLLCサービスがある場合、時間内にサービスデータを正しく送信するために十分なエアインタフェースリソースが割り当てられる必要がある。現在使用されているエアインタフェースリソースは、最大7個の直交周波数分割多元接続（Orthogonal Frequency Division Multiple Access, 略してOFDMA）シンボル（symbol）を含む、短い伝送時間間隔（Transmission Time Interval, 略してTTI）である。短いTTIは、1 msのTTIよりも短い。従って、URLLCサービスが、短いTTIを使用することによって伝送される場合、待ち時間は低減されることができる。従来技術では、短いTTIおよび1 msのTTIのリソース再利用問題は、周波数分割多重（Frequency Division Multiplex, 略してFDM）を介して解決され、半永続FDM方式および動的FDM方式が具体的には含まれる。
【０００３】
図2Aに示されるように、半永続FDM方式では、基地局は、システム帯域幅を2つの部分に分割する。1つの部分は1 msのTTI伝送のために使用され、他の部分は短いTTI伝送のために使用される。1 msのTTI伝送および短いTTI伝送は、比較的固定量の周波数領域リソースを占有する。比較的大量の周波数領域リソースが短いTTI伝送のために割り当てられるが、比較的少量のURLLCサービスがある場合、短いTTI伝送のために割り当てられる周波数領域リソースは無駄になる。比較的少量の周波数領域リソースが短いTTI伝送のために割り当てられるが、URLLCサービスの伝送は、1つの短いTTI内で完了できない場合、URLLCサービスの伝送待ち時間は比較的長い。
【０００４】
図2Bに示されるように、動的FDM方式では、基地局は、各1 ms時間-周波数リソース上の短いTTI伝送および1 msのTTI伝送のために周波数領域リソースを動的に割り当てる。現在のサブフレームが終了したときに、URLLCサービスが伝送されている場合、次のサブフレームにおける短いTTI伝送のためにより多くの周波数領域リソースが割り当てられる。現在のサブフレームが終了したとき、URLLCサービスが伝送されていない場合、次のサブフレームにおける短いTTI伝送のためにより少ない周波数領域リソースが割り当てられる。次のサブフレームにおける短いTTI伝送のためにより多くの周波数領域リソースが割り当てられるが、比較的少量のURLLCサービスが伝送される必要がある場合、周波数領域リソースは無駄になる。次のサブフレームにおける短いTTI伝送のためにより少ない周波数領域リソースが割り当てられるが、比較的大量のURLLCサービスが伝送される必要があり、伝送は、1つの短いTTI内で完了することができない場合、URLLCサービスの伝送待ち時間は比較的長い。
【０００５】
結論として、半永続FDM方式または動的FDM方式で短いTTIおよび1 ms TTIが多重化されているかどうかに関わらず、周波数領域リソースは無駄になる可能性があり、または、URLLCサービスの伝送待ち時間は比較的長くなり得る。
【発明の概要】
【課題を解決するための手段】
【０００６】
本発明の実施形態は、時間-周波数リソース利用を改善し、短い待ち時間のサービスのタイムリーな処理を保証するために、リソース指示方法および関連デバイスおよびシステムを開示する。
【０００７】
本発明の実施形態の第1の態様は、リソース指示方法を開示し、方法は、
基地局によって、時間-周波数リソース指示情報を第1の端末に送信するステップであって、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである、ステップと、
第2の時間-周波数リソース内にあり、第1の時間-周波数リソースと重複しない時間-周波数リソースを使用することによって、基地局によって、第1の端末とのデータ伝送を実行するステップとを含む。
【０００８】
前述のステップでは、基地局が、第2の時間-周波数リソースを第1の端末に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０００９】
第1の態様を参照すると、第1の態様の第1の可能な実施では、基地局によって、時間-周波数リソース指示情報を第1の端末に送信するステップは、
第kのサブフレーム内の制御チャネル上で、時間-周波数リソース指示情報を第1の端末に送信するステップであって、ここで、第1の時間-周波数リソースの時間領域は、第k-uのサブフレーム内にあり、kおよびuの両方は正の整数であり、k>uである、ステップを含む。
【００１０】
第1の態様を参照すると、第1の態様の第2の可能な実施では、第1の時間-周波数リソースの時間領域は、第mの事前に設定された伝送時間単位と等しく、基地局によって、時間-周波数リソース指示情報を第1の端末に送信するステップは、
第nの事前に設定された伝送時間単位の制御チャネル上で、時間-周波数リソース指示情報を第1の端末に送信するステップであって、ここで、mおよびnの両方は正の整数であり、m<nである、ステップを含む。
【００１１】
第1の態様の第2の可能な実施を参照すると、第1の態様の第3の可能な実施では、時間-周波数リソース指示情報は、第1の時間-周波数リソースが、基地局によって第2の端末に割り当てられていること、および、第3の時間-周波数リソースが、別の端末に割り当てられていることを示すために使用され、ここで、第3の時間-周波数リソースの時間領域は、第tの事前に設定された伝送時間単位と等しく、tは正の整数であり、t<nであり、tはmと等しくない。
【００１２】
第1の態様を参照すると、第1の態様の第4の可能な実施では、第1の時間-周波数リソースの時間領域は、第mの事前に設定された伝送時間単位と等しく、基地局によって、時間-周波数リソース指示情報を第1の端末に送信するステップは、
第mの事前に設定された伝送時間単位の制御チャネル上で、時間-周波数リソース指示情報を第1の端末に送信するステップであって、ここで、mは正の整数である、ステップを含む。
【００１３】
第1の態様、または第1の態様の第1乃至第4の可能な実施のうちのいずれか1つを参照すると、第1の態様の第5の可能な実施では、基地局によって、時間-周波数リソース指示情報を第1の端末に送信するステップの前に、方法は、
基地局によって、時間-周波数リソース分割情報を第1の端末に送信するステップであって、ここで、時間-周波数リソース分割情報は、第1の時間-周波数リソースが、事前に設定された時間-周波数範囲における時間-周波数リソースであることを示すために使用され、事前に設定された時間-周波数範囲は、システム帯域幅における部分時間-周波数リソースである、ステップをさらに含む。
【００１４】
第1の態様、または第1の態様の第1乃至第4の可能な実施のうちのいずれか1つを参照すると、第1の態様の第6の可能な実施では、基地局によって、時間-周波数リソース指示情報を第1の端末に送信するステップは、
時間-周波数リソース指示情報を複数の端末に送信するステップであって、ここで、複数の端末は第1の端末を含む、ステップを含む。
【００１５】
第2の態様によると、本発明の実施形態は、リソース指示方法を提供し、方法は、
第1の端末によって、基地局によって送信された時間-周波数リソース指示情報を受信するステップであって、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである、ステップと、
第2の時間-周波数リソース内にあり、第1の時間-周波数リソースと重複しない時間-周波数リソースを使用することによって、第1の端末によって、基地局とのデータ伝送を実行するステップとを含む。
【００１６】
前述のステップでは、基地局が、第2の時間-周波数リソースを第1の端末に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【００１７】
第2の態様を参照すると、第2の態様の第1の可能な実施では、第1の端末によって、基地局によって送信された時間-周波数リソース指示情報を受信するステップは、
第kのサブフレーム内の制御チャネル上で、基地局によって送信された時間-周波数リソース指示情報を受信するステップであって、ここで、第1の時間-周波数リソースの時間領域は、第k-uのサブフレーム内にあり、kおよびuの両方は正の整数であり、k>uである、ステップを含む。
【００１８】
第2の態様を参照すると、第2の態様の第2の可能な実施では、第1の時間-周波数リソースの時間領域は、第mの事前に設定された伝送時間単位と等しく、第1の端末によって、基地局によって送信された時間-周波数リソース指示情報を受信するステップは、
第nの事前に設定された伝送時間単位の制御チャネル上で、基地局によって送信された時間-周波数リソース指示情報を受信するステップであって、ここで、mおよびnの両方は正の整数であり、m<nである、ステップを含む。
【００１９】
第2の態様の第2の可能な実施を参照すると、第2の態様の第3の可能な実施では、時間-周波数リソース指示情報は、第1の時間-周波数リソースが、基地局によって第2の端末に割り当てられていること、および、第3の時間-周波数リソースが、別の端末に割り当てられていることを示すために使用され、ここで、第3の時間-周波数リソースの時間領域は、第tの事前に設定された伝送時間単位と等しく、tは正の整数であり、t<nであり、tはmと等しくない。
【００２０】
第2の態様の第1の可能な実施を参照すると、第2の態様の第4の可能な実施では、第1の時間-周波数リソースの時間領域は、第mの事前に設定された伝送時間単位と等しく、第1の端末によって、基地局によって送信された時間-周波数リソース指示情報を受信するステップは、
第mの事前に設定された伝送時間単位の制御チャネル上で、基地局によって送信された時間-周波数リソース指示情報を受信するステップであって、ここで、mは正の整数である、ステップを含む。
【００２１】
第2の態様、または第2の態様の第1乃至第4の可能な実施のうちのいずれか1つを参照すると、第2の態様の第5の可能な実施では、第1の端末によって、基地局によって送信された時間-周波数リソース指示情報を受信するステップの前に、方法は、
第1の端末によって、基地局によって送信された時間-周波数リソース分割情報を受信するステップであって、ここで、時間-周波数リソース分割情報は、第1の時間-周波数リソースが、事前に設定された時間-周波数範囲における時間-周波数リソースであることを示すために使用され、事前に設定された時間-周波数範囲は、システム帯域幅における部分時間-周波数リソースである、ステップをさらに含む。
【００２２】
第3の態様によると、本発明の実施形態は基地局を提供し、基地局は、プロセッサ、メモリおよびトランシーバを含む。
【００２３】
メモリは、データおよびプログラムを記憶するように構成される。
【００２４】
プロセッサは、メモリ内のプログラムを呼び出して、
トランシーバを使用することによって、時間-周波数リソース指示情報を第1の端末に送信する操作であって、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである、操作と、
第2の時間-周波数リソース内にあり、第1の時間-周波数リソースと重複しない時間-周波数リソースを使用することによって、トランシーバを使用することによって、第1の端末とのデータ伝送を実行する操作とを実行する。
【００２５】
前述の操作では、基地局が、第2の時間-周波数リソースを第1の端末に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【００２６】
第3の態様を参照すると、第3の態様の第1の可能な実施では、プロセッサが、トランシーバを使用することによって、時間-周波数リソース指示情報を第1の端末に送信することは、具体的には、
トランシーバを使用することによって、第kのサブフレーム内の物理ダウンリンク制御チャネルPDCCH上で、時間-周波数リソース指示情報を第1の端末に送信することであって、ここで、第1の時間-周波数リソースの時間領域は、第k-uのサブフレーム内にあり、kおよびuの両方は正の整数であり、k>uである。
【００２７】
第3の態様を参照すると、第3の態様の第2の可能な実施では、第1の時間-周波数リソースの時間領域は、第mの事前に設定された伝送時間単位と等しく、プロセッサが、トランシーバを使用することによって、時間-周波数リソース指示情報を第1の端末に送信することは、具体的には、
トランシーバを使用することによって、第nの事前に設定された伝送時間単位の制御チャネル上で、時間-周波数リソース指示情報を第1の端末に送信することであって、ここで、mおよびnの両方は正の整数であり、m<nである。
【００２８】
第3の態様の第2の可能な実施を参照すると、第3の態様の第3の可能な実施では、時間-周波数リソース指示情報は、第1の時間-周波数リソースが、基地局によって第2の端末に割り当てられていること、および、第3の時間-周波数リソースが、別の端末に割り当てられていることを示すために使用され、ここで、第3の時間-周波数リソースの時間領域は、第tの事前に設定された伝送時間単位と等しく、tは正の整数であり、t<nであり、tはmと等しくない。
【００２９】
第3の態様を参照すると、第3の態様の第4の可能な実施では、第1の時間-周波数リソースの時間領域は、第mの事前に設定された伝送時間単位と等しく、プロセッサが、トランシーバを使用することによって、時間-周波数リソース指示情報を第1の端末に送信することは、具体的には、
トランシーバを使用することによって、第mの事前に設定された伝送時間単位の制御チャネル上で、時間-周波数リソース指示情報を第1の端末に送信することであって、ここで、mは正の整数である。
【００３０】
第3の態様、または第3の態様の第1乃至第4の可能な実施のうちのいずれか1つを参照すると、第3の態様の第5の可能な実施では、トランシーバを使用することによって、時間-周波数リソース指示情報を第1の端末に送信する前に、プロセッサは、
トランシーバを使用することによって、時間-周波数リソース分割情報を第1の端末に送信するようにさらに構成され、ここで、時間-周波数リソース分割情報は、第1の時間-周波数リソースが、事前に設定された時間-周波数範囲における時間-周波数リソースであることを示すために使用され、事前に設定された時間-周波数範囲は、システム帯域幅における部分時間-周波数リソースである。
【００３１】
第3の態様、または第3の態様の第1乃至第5の可能な実施のうちのいずれか1つを参照すると、第3の態様の第6の可能な実施では、プロセッサが、トランシーバを使用することによって、時間-周波数リソース指示情報を第1の端末に送信することは、具体的には、
トランシーバを使用することによって、時間-周波数リソース指示情報を複数の端末に送信することであり、ここで、複数の端末は第1の端末を含む。
【００３２】
第4の態様によると、本発明の実施形態は第1の端末を提供し、ここで、第1の端末は、プロセッサ、メモリおよびトランシーバを含む。
【００３３】
メモリは、データおよびプログラムを記憶するように構成される。
【００３４】
プロセッサは、メモリ内のプログラムを呼び出して、
トランシーバを使用することによって、基地局によって送信された時間-周波数リソース指示情報を受信する操作であって、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである、操作と、
第2の時間-周波数リソース内にあり、第1の時間-周波数リソースと重複しない時間-周波数リソースを使用することによって、トランシーバを使用することによって、第1の端末とのデータ伝送を実行する操作とを実行する。
【００３５】
前述の操作では、基地局が、第2の時間-周波数リソースを第1の端末に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【００３６】
第4の態様を参照すると、第4の態様の第1の可能な実施では、プロセッサが、トランシーバを使用することによって、基地局によって送信された時間-周波数リソース指示情報を受信することは、具体的には、
トランシーバを使用することによって、第kのサブフレーム内の制御チャネル上で、基地局によって送信された時間-周波数リソース指示情報を受信することであって、ここで、第1の時間-周波数リソースの時間領域は、第k-uのサブフレーム内にあり、kおよびuの両方は正の整数であり、k>uである。
【００３７】
第4の態様を参照すると、第4の態様の第2の可能な実施では、第1の時間-周波数リソースの時間領域は、第mの事前に設定された伝送時間単位と等しく、プロセッサが、トランシーバを使用することによって、基地局によって送信された時間-周波数リソース指示情報を受信することは、具体的には、
トランシーバを使用することによって、第nの事前に設定された伝送時間単位の制御チャネル上で、基地局によって送信された時間-周波数リソース指示情報を受信することであって、ここで、mおよびnの両方は正の整数であり、m<nである。
【００３８】
第4の態様の第2の可能な実施を参照すると、第4の態様の第3の可能な実施では、時間-周波数リソース指示情報は、第1の時間-周波数リソースが、基地局によって第2の端末に割り当てられていること、および、第3の時間-周波数リソースが、別の端末に割り当てられていることを示すために使用され、ここで、第3の時間-周波数リソースの時間領域は、第tの事前に設定された伝送時間単位と等しく、tは正の整数であり、t<nであり、tはmと等しくない。
【００３９】
第4の態様を参照すると、第4の態様の第4の可能な実施では、第1の時間-周波数リソースの時間領域は、第mの事前に設定された伝送時間単位と等しく、プロセッサが、トランシーバを使用することによって、基地局によって送信された時間-周波数リソース指示情報を受信することは、具体的には、
トランシーバを使用することによって、第mの事前に設定された伝送時間単位の制御チャネル上で、基地局によって送信された時間-周波数リソース指示情報を受信することであって、ここで、mは正の整数である。
【００４０】
第4の態様、または第4の態様の第1乃至第4の可能な実施のうちのいずれか1つを参照すると、第4の態様の第5の可能な実施では、トランシーバを使用することによって、基地局によって送信された時間-周波数リソース指示情報を受信する前に、プロセッサは、
トランシーバを使用することによって、基地局によって送信された時間-周波数リソース分割情報を受信するようにさらに構成され、ここで、時間-周波数リソース分割情報は、第1の時間-周波数リソースが、事前に設定された時間-周波数範囲における時間-周波数リソースであることを示すために使用され、事前に設定された時間-周波数範囲は、システム帯域幅における部分時間-周波数リソースである。
【００４１】
第1の態様、第2の態様、第3の態様および第4の態様のいくつかの可能な実施では、時間-周波数リソース分割情報は、システム情報ブロックSIBで搬送される。
【００４２】
第1の態様、第2の態様、第3の態様および第4の態様のいくつかの可能な実施では、時間-周波数リソース指示情報は、ダウンリンク制御情報DCIであり、DCIは、第1の時間-周波数リソースを示すフィールドを含む。
【００４３】
第1の態様、第2の態様、第3の態様および第4の態様のいくつかの可能な実施では、DCIの長さは、フォーマット1AにおけるDCIの長さまたはフォーマット1CにおけるDCIの長さと同じである。
【００４４】
第1の態様、第2の態様、第3の態様および第4の態様のいくつかの可能な実施では、DCIの長さが、フォーマット1AにおけるDCIの長さと同じである場合、DCIのスクランブリングシーケンスは、フォーマット1AにおけるDCIのスクランブリングシーケンスとは異なり、または、DCIの長さが、フォーマット1CにおけるDCIの長さと同じである場合、DCIのスクランブリングシーケンスは、フォーマット1CにおけるDCIのスクランブリングシーケンスとは異なる。
【００４５】
第5の態様によると、本発明の実施形態は基地局を提供し、基地局は、第1の態様の任意の実施における一部または全てのステップを実行するための機能ユニットを含む。
【００４６】
第6の態様によると、本発明の実施形態は第1の端末を提供し、第1の端末は、第2の態様の任意の実施における一部または全てのステップを実行するための機能ユニットを含む。
【００４７】
第7の態様によると、本発明の実施形態は通信システムを提供し、通信システムは、基地局および第1の端末を含む。
【００４８】
基地局は、時間-周波数リソース指示情報を第1の端末に送信するように構成される。
【００４９】
第1の端末は、基地局によって送信された時間-周波数リソース指示情報を受信するように構成され、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである。
【００５０】
基地局は、第2の時間-周波数リソース内にあり、第1の時間-周波数リソースと重複しない時間-周波数リソースを使用することによって、第1の端末とのデータ伝送を実行するようにさらに構成される。
【００５１】
第7の態様を参照すると、第7の態様の第1の可能な実施では、基地局は、第3の態様の任意の可能な実施で記載される基地局、または第5の態様に記載される基地局であり、第1の端末は、第4の態様の任意の可能な実施に記載される第1の端末、または第6の態様に記載される第1の端末である。
【００５２】
結論として、本発明の実施形態を実施することによって、基地局が、第2の時間-周波数リソースを第1の端末に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【図面の簡単な説明】
【００５３】
本発明の実施形態における技術的な解決手段をより明確に説明するために、以下では、実施形態を説明するために必要とされる添付図面を簡潔に説明する。明らかに、以下の説明における添付図面は、本発明の一部の実施形態を示しており、当業者は、創造的努力無しに、これらの添付図面から他の図面をさらに導出することができる。
【００５４】
【図１】図1は、5G技術における3つの期待される主要なサービスのシナリオの概略図である。
【図２Ａ】図2Aは、従来技術における、短いTTIおよび1 msのTTIを多重化するシナリオの概略図である。
【図２Ｂ】図2Bは、従来技術における、短いTTIおよび1 msのTTIを多重化する別のシナリオの概略図である。
【図３】図3は、本発明の実施形態に係る、リソース指示方法の概略フローチャートである。
【図４】図4は、本発明の実施形態に係る、短いTTIおよび1 ms のTTIの時間領域長の概略図である。
【図５】図5は、本発明の実施形態に係る、P個の時間領域およびQ個の周波数領域のシナリオの概略図である。
【図６】図6は、本発明の実施形態に係る、P個の時間領域およびQ個の周波数領域の別のシナリオの概略図である。
【図７】図7は、本発明の実施形態に係る、基地局の概略構成図である。
【図８】図8は、本発明の実施形態に係る、第1の端末の概略構成図である。
【図９】図9は、本発明の実施形態に係る、別の基地局の概略構成図である。
【図１０】図10は、本発明の実施形態に係る、別の第1の端末の概略構成図である。
【図１１】図11は、本発明の実施形態に係る、通信システムの概略構成図である。
【発明を実施するための形態】
【００５５】
本発明の実施形態における技術的解決手段は、添付図面を参照して、以下で詳細に明確に説明される。
【００５６】
本発明の実施形態における端末（例えば、第1の端末または第2の端末）は、無線通信機能を提供する、ハンドヘルドデバイス、車載デバイス、ウェアラブルデバイスまたはコンピューティングデバイス、無線モデムに接続される別の処理デバイスまたは様々な形態のユーザ機器（User Equipment, 略してUE）を含んでよく、モバイル局（Mobile Station, 略してMS）、端末（Terminal）、端末機器（Terminal Equipment）等を含む。説明を容易にするために、これらのデバイスは、本願では集合的に端末と呼ばれる。
【００５７】
図3を参照すると、図3は、本発明の実施形態に係る、リソース指示方法を示す。方法は以下の手順を含むが、これらに限定されない。
【００５８】
ステップS301：基地局は、時間-周波数リソース割当てメッセージを第1の端末に送信して、データを伝送する第1の端末のために、時間-周波数リソース割当てメッセージの指示を介して、第2の時間-周波数リソースを第1の端末に割り当てる。
【００５９】
ステップS302：基地局は、時間-周波数リソース指示情報を第1の端末に送信する。
【００６０】
具体的には、短い待ち時間のサービス（例えば、URLLC）が基地局と第2の端末との間で伝送される必要がある場合、基地局は、比較的短い伝送時間間隔TTIを持つ第1の時間-周波数リソースを、第2の端末に時間内に割り当てる。比較的短いTTIを持つ時間-周波数リソースは、データ伝送待ち時間を低減することができる。第1の時間-周波数リソースのTTIは、第2の時間-周波数リソースのTTIよりも短い。従って、第1の時間-周波数リソースの時間領域は、第2の時間-周波数リソースの時間領域の一部であってよい。第1の時間-周波数リソースの時間領域が、第2の時間-周波数リソースの時間領域の一部である場合、第1の端末と第2の端末が同じ時間-周波数リソースを使用することを回避するために、基地局は、時間-周波数リソース指示情報を第1の端末に送信して、第1の時間-周波数リソースが第2の端末に割り当てられていることを示し、その結果、第1の端末は、第2の時間-周波数リソースを使用するためのポリシーを調整する。任意で、基地局は、ブロードキャストを介して時間-周波数リソース指示情報を送信してよい。通常、複数の端末が時間-周波数リソース指示情報を受信し、複数の端末は第1の端末を含む。
【００６１】
第1の時間-周波数リソースのTTIと第2の時間-周波数リソースのTTIとの間の関係が、図4で以下に示される。第1の時間-周波数リソースのTTIは、任意の連続するOFDMAシンボル41を含む時間領域長または任意のOFDMAシンボルの時間領域長であってよい。区別を容易にするために、第1の時間-周波数リソースのTTIは、sTTI（short Transmission Time Interval）と呼ばれてよい。第2の時間-周波数リソースのTTIは、図4における全てのOFDMAシンボルを含む時間領域長42（通常、1つのサブフレームの長さ）である。従来技術では、通常、次のサブフレームは、現在のサブフレームが終了したときのみに開始する。従って、2つの時間-周波数リソースは重複しない。本発明の本実施形態では、少なくとも2つの長さを有するTTIが使用されるため、第1の時間-周波数リソースの時間領域は、第2の時間-周波数リソースの時間領域の一部であってよい。
【００６２】
任意の解決手段では、基地局が、時間-周波数リソース指示情報を第1の端末に送信することは、具体的には、基地局が、第kのサブフレーム内の制御チャネル上で、時間-周波数リソース指示情報を第1の端末に送信することであって、ここで、第1の時間-周波数リソースの時間領域は、第k-uのサブフレーム内にあり、kおよびuの両方は正の整数であり、k>uである。
【００６３】
例えば、時間領域には複数の連続したサブフレームがある。サブフレームの時間シーケンスは、第1のサブフレーム、第2のサブフレーム、第3のサブフレーム等を使用することによって記載される。第1のサブフレーム、第2のサブフレーム、第3のサブフレーム等は、シーケンシャルに連続しているが、時間領域において重複しない。本発明の本実施形態では、第1の時間-周波数リソースの伝送時間間隔は、1つのサブフレームの長さよりも短い。換言すると、第1の時間-周波数リソースの時間領域は、サブフレーム内に収まる。サブフレームは、第k-uのサブフレームである。基地局は、具体的には、第kのサブフレームに対応する制御チャネル上で、時間-周波数リソース指示情報を第1の端末に送信する。例えば、uが1である場合、基地局は、次のサブフレームに対応する物理ダウンリンク制御チャネル（Physical Downlink Control Channel, 略してPDCCH）上でリソース指示情報を常に送信して、現在のサブフレーム内の第1の時間-周波数リソースが先取されたことを示す。「先取」の意味は、基地局によって第1の端末に割り当てられた第2の時間-周波数リソースが、第1の時間-周波数リソースを含み、第1の端末が第2の時間-周波数リソースを使い果たす前に、基地局が、第1の時間-周波数リソースを別の端末に割り当てる場合、第1の端末について、第1の時間-周波数リソースは先取されるという例を使用することによって以下に説明される。
【００６４】
別の任意の解決手段では、本発明の本実施形態においてsTTIが設定されるため、その時間長がsTTIと等しい時間領域リソースがある。その時間長がsTTIと等しい時間領域リソースは、事前に設定された時間領域と呼ばれてよく、事前に設定された時間領域は、時間シーケンスにおける区別のために、シーケンシャルに、第1の事前に設定された時間領域、第2の事前に設定された時間領域、第3の事前に設定された時間領域等々と呼ばれてよい（従来技術では、その時間長が1 msのTTIと等しい時間領域リソースは、通常、第1のサブフレーム、第2のサブフレーム、第3のサブフレーム等と呼ばれ、本発明の本実施形態における事前に設定された時間領域について、サブフレームの原理を参照されたい）。各サブフレームがPDCCHに対応する従来技術と同様に、各事前に設定された時間領域は、本発明の本実施形態における制御チャネルに対応する。第1の時間-周波数リソースの時間領域は、第mの事前に設定された時間領域と等しいと仮定する。基地局が、時間-周波数リソース指示情報を第1の端末に送信することは、具体的には、基地局が、第nの事前に設定された時間領域の制御チャネル上で、時間-周波数リソース指示情報を第1の端末に送信することであり、ここで、mおよびnの両方は正の整数であり、m<nである。
【００６５】
具体的には、基地局は、第nの事前に設定された時間領域における時間-周波数リソース指示情報を送信して、第mの事前に設定された時間領域における第1の時間-周波数リソースが先取されたことを示す。第nの事前に設定された時間領域は、第mの事前に設定された時間領域の前の事前に設定された時間領域である。任意で、時間-周波数リソース指示情報は、第mの事前に設定された時間領域における第1の時間-周波数リソースが先取されたと示すことができるだけでなく、第tの事前に設定された時間領域における第3の時間-周波数リソースが先取されたことも示すことができる。第tの事前に設定された時間領域は、第mの事前に設定された時間領域の前の事前に設定された時間領域であり、tはmと等しくない。さらに、他の事前に設定された時間領域が、第nの事前に設定された時間領域の前にある場合、時間-周波数リソース指示情報はまた、他のより多くの事前に設定された時間領域における時間-周波数リソースが先取されたことを示すこともできる。
【００６６】
別の任意の解決手段では、第1の時間-周波数リソースの時間領域は、第mの事前に設定された時間領域と等しい。基地局が、時間-周波数リソース指示情報を第1の端末に送信することは、具体的には、基地局が、第mの事前に設定された時間領域の制御チャネル上で、時間-周波数リソース指示情報を第1の端末に送信することである。換言すると、基地局は、第mの事前に設定された時間領域の制御チャネル上で、時間-周波数リソース指示情報を送信して、第1の時間-周波数リソースが先取されたことを示す。
【００６７】
時間-周波数リソース指示情報が、第1の時間-周波数リソースが先取されたことを示すことは、2つの態様を含んでよい。第1の態様では、時間-周波数リソース指示情報は、時間-周波数リソースが先取されたことを示す。第2の態様では、時間-周波数リソース指示情報は、時間-周波数リソースが第1の時間-周波数リソースを含むことを示す。以下の説明では、最初に、時間-周波数リソースが先取されたことを示す方法が説明され、次いで、時間-周波数リソースが第1の時間-周波数リソースを含むことを示す方法が説明される。
【００６８】
第1の態様では、時間-周波数リソース指示情報は、ダウンリンク制御情報DCIである。本発明の本実施形態では、DCIが時間-周波数リソースが先取されたことを示すために使用されることを示すために、DCIは、従来技術における既存のフォーマットのDCIとは異なるように構成される。
【００６９】
任意の解決手段では、DCIが時間-周波数リソースが先取されたことを示すDCIであることを示すために、DCIの長さは、従来技術における様々な既存のフォーマットのDCIの長さとは異なるように設定される。
【００７０】
別の任意の解決手段では、DCIの長さは、フォーマット1AのDCIの長さまたはフォーマット1CのDCIの長さと同じであってよい。DCIの長さが、フォーマット1Aまたは1CのDCIの長さと同じである場合、関連する通信プロトコルでは、特にDCIのために新しいブラインド検出メカニズムが構成される必要はなく、フォーマット１Aまたは1CのDCIに対応するブラインド検出メカニズムのみが直接使用される。さらに、DCIの長さが、フォーマット1AのDCIの長さと同じである場合、DCIのスクランブリングシーケンスは、フォーマット1AのDCIのスクランブリングシーケンスとは異なってよく、または、DCIの長さが、フォーマット1CのDCIの長さと同じである場合、DCIのスクランブリングシーケンスは、フォーマット1CのDCIのスクランブリングシーケンスとは異なってよい。このような設定の理由は、DCIの長さが、フォーマット1AのDCIの長さと同じである場合、DCIとフォーマット1Aまたは1CのDCIは、異なるタイプのスクランブリングシーケンスを使用することによって、区別されることができる。
【００７１】
第2の態様では、DCIは、第1の時間-周波数リソースを示すために使用されるフィールドを含んでよい。任意で、第1の時間-周波数リソースに対応する時間領域を表すために、時間領域フィールドが設定されるとともに第1の時間-周波数リソースの周波数領域が、通信プロトコルにおいて事前に定義され、または、第1の時間-周波数リソースに対応する周波数領域を表すために、周波数領域フィールドが設定されるとともに第1の時間-周波数リソースの時間領域が、通信プロトコルにおいて事前に定義され、または、第1の時間-周波数リソースに対応する周波数領域および時間領域をそれぞれ表すために、周波数領域フィールドおよび時間領域フィールドが設定され、または、第1の時間-周波数リソースの時間領域および周波数領域の組合せを表すために、1つのフィールドが設定される。
【００７２】
任意で、第1の時間-周波数リソースに対応する周波数領域および時間領域をそれぞれ表すために、周波数領域フィールドおよび時間領域フィールドが設定される場合、時間領域フィールドは、P個の事前に設定された時間領域にそれぞれ対応するP個のビットを有してよく、周波数領域フィールドは、Q個の事前に設定された周波数領域にそれぞれ対応するQ個のビットを有する。第1の基準値と等しい値を持つビットに対応する、P個のビットにおける時間領域と、第2の基準値と等しい値を持つビットに対応する、Q個のビットにおける周波数領域を含む時間-周波数リソースは、第1の時間-周波数リソースであり、PおよびQの両方は正の整数である。
【００７３】
P個の時間領域およびQ個の周波数領域の分割は、以下の2つのケースを含むが、これらに限定はされない：
【００７４】
ケース1：P個の事前に設定された時間領域およびQ個の事前に設定された周波数領域は、システム帯域幅を分割することによって得られる。図5が例として使用される。システム帯域幅50内の時間領域は、時間領域ユニット501、時間領域ユニット502、時間領域ユニット503および時間領域ユニット504の4つの時間領域ユニットに分割される。システム帯域幅内の周波数領域は、周波数領域ユニット511、周波数領域ユニット512、周波数領域ユニット513、周波数領域ユニット514、周波数領域ユニット515、周波数領域ユニット516および周波数領域ユニット517の7個の周波数領域ユニットに分割される。時間領域フィールドは、時間領域ユニット501、時間領域ユニット502、時間領域ユニット503および時間領域ユニット504にそれぞれ対応する4つのビットを含んでよい。周波数領域フィールドは、周波数領域ユニット511、周波数領域ユニット512、周波数領域ユニット513、周波数領域ユニット514、周波数領域ユニット515、周波数領域ユニット516および周波数領域ユニット517にそれぞれ対応する7個のビットを含んでよい。第1の基準値と第2の基準値は両方とも1であると仮定する。時間領域フィールドは0100であり、周波数領域フィールドは0101010である。これは、領域521内の時間-周波数リソース、領域522内の時間-周波数リソースおよび領域523内の時間-周波数リソースが先取されることを示す。本発明の本実施形態では、この指示方式は、先取された第1の時間-周波数リソースを示すために使用されてよい。
【００７５】
ケース2：P個の事前に設定された時間領域およびQ個の事前に設定された周波数領域は、事前に設定された時間-周波数範囲を分割することによって得られる。事前に設定された時間-周波数範囲は、システム帯域幅を分割することによって得られ、先取されることができる時間-周波数リソースを含む領域である。図6が例として使用される。システム帯域幅60内の時間領域は、時間領域ユニット601、時間領域ユニット602、時間領域ユニット603および時間領域ユニット604の4つの時間領域ユニットに分割される。システム帯域幅内の周波数領域は、周波数領域ユニット611、周波数領域ユニット612、周波数領域ユニット613、周波数領域ユニット614、周波数領域ユニット615、周波数領域ユニット616および周波数領域ユニット617の7個の周波数領域ユニットに分割される。先取されることができる時間-周波数リソースは、時間-周波数リソース分割情報を第1の端末に送信することによって示されてよい。時間-周波数リソース分割情報は、時間領域フィールドおよび周波数領域フィールドを含んでよい。時間領域フィールドは、時間領域ユニット601、時間領域ユニット602、時間領域ユニット603および時間領域ユニット604にそれぞれ対応する4個のビットを含んでよい。周波数領域フィールドは、周波数領域ユニット611、周波数領域ユニット612、周波数領域ユニット613、周波数領域ユニット614、周波数領域ユニット615、周波数領域ユニット616および周波数領域ユニット617にそれぞれ対応する7個のビットを含んでよい。第1の基準値および第2の基準値の両方は1であると仮定する。時間-周波数リソース分割情報が、時間領域フィールド0110および周波数領域フィールド0101010を含む場合、時間領域ユニット602、時間領域ユニット603、周波数領域ユニット612、周波数領域ユニット614および周波数領域ユニット616を含む時間-周波数リソースは、事前に設定された時間-周波数範囲である。
【００７６】
先取されることができる時間-周波数リソースが、時間領域フィールド0110および周波数領域フィールド0101010を使用することによって示された後、その後送信された時間-周波数リソース指示情報における時間領域フィールドは、時間領域ユニット602および時間領域ユニット603にそれぞれ対応する2個のビットのみを含む必要があり、時間-周波数リソース指示情報の周波数領域フィールドは、周波数領域ユニット612、周波数領域ユニット614および周波数領域ユニット616にそれぞれ対応する3個のビットのみを含む必要がある。
【００７７】
換言すると、時間-周波数リソース指示情報を第1の端末に送信する前に、基地局は、最初に、時間-周波数リソース分割情報を第1の端末に送信する必要がある。第1の時間-周波数リソースとしてその後使用されることができる時間-周波数リソースは、時間-周波数リソース分割情報を使用することによって、特定の範囲に制限される。時間-周波数リソース指示情報を使用することによって、第1の時間-周波数リソースが先取されたことがその後示される場合、第1の時間-周波数リソースのみが、限定された範囲に示される必要がある。通常、基地局は、その後、時間-周波数リソース指示情報を、複数回、第1の端末に送信してよい。第1の時間-周波数リソースは、複数回送信された時間-周波数リソース指示情報を使用することによって、一度送信された時間-周波数リソース分割情報における限定された範囲に基づいて決定されてよい。時間-周波数リソース分割情報は、セルレベルメッセージ、例えば、システム情報ブロック（System Information Block, 略してSIB）であってよい。ケース1の場合と比較して、時間-周波数リソース指示情報は、ケース2ではより少ないビット数を含み、それによって、オーバヘッドを低減する。
【００７８】
任意で、第1の時間-周波数リソースに対応する周波数領域を表すために、周波数領域フィールドが設定され、第1の時間-周波数リソースの時間領域が、通信プロトコルにおいて事前に定義された場合、時間-周波数リソース指示情報を送信するために基地局によって使用される時間領域は、第1の時間-周波数リソースの時間領域と等しいことが、通信プロトコルにおいて事前に定義されることができる。第1の時間-周波数リソースが先取されると決定した場合、基地局は、第1の時間-周波数リソースの時間領域において時間-周波数リソース指示情報を送信する。対応して、第1の端末はまた、第1の時間-周波数リソースを送信するために基地局によって使用される時間領域リソースを解析することもできる。さらに、時間-周波数リソース指示情報が、周波数領域フィールドを使用することによって、第1の時間-周波数リソースの周波数領域を示す方式については、上述のケース1およびケース2を参照されたい。確かに、方式は、2つのケースに限定されない。
【００７９】
時間領域ユニットが、OFDMAシンボル、複数の連続するOFDMAシンボルを含むシンボルグループ等であってよいことは留意されるべきである。周波数領域ユニットは、サブキャリア、リソースブロックグループ（Resource Block Group, 略してRGB）の周波数領域長または複数の連続するRGBを含むRGBグループの周波数領域長であってよい。
【００８０】
ステップS303：第1の端末は、基地局によって送信される時間-周波数リソース指示情報を受信する。
【００８１】
任意の解決手段では、第1の端末は、各サブフレームのPDCCH上で、時間-周波数リソース指示情報を受信する。別の任意の解決手段では、第1の端末は、sTTIの事前に構成された制御チャネル上で、時間-周波数リソース指示情報を受信する。
【００８２】
別の任意の解決手段では、時間-周波数リソース指示情報を受信する前に、第1の端末は、基地局によって送信される時間-周波数リソース分割情報を受信する。第1の端末によって受信される時間-周波数リソース分割情報は、SIBで搬送されてよい。時間-周波数リソース分割情報を受信した後、基地局は、時間-周波数リソース分割情報を解析して、分析を介して、時間-周波数リソース分割情報に示される時間-周波数リソース範囲を取得する。指示された時間-周波数リソース範囲は、事前に設定された時間-周波数範囲である。
【００８３】
ステップS304：第1の端末は、時間-周波数リソース指示情報を解析する。
【００８４】
具体的には、第1の端末は、解析を介して、時間-周波数リソース指示情報において示される時間-周波数リソースを取得する。指示される時間-周波数リソースは、第1の時間-周波数リソース、すなわち、先取された時間-周波数リソースである。任意の解決手段では、第1の端末は、受信されたDCIをデスクランブルしてよい。受信されたDCIをデスクランブルするためのデスクランブリングシーケンスが、時間-周波数リソース指示情報をデスクランブルするために特に使用される事前に設定されたデスクランブリングシーケンスである場合、受信されたDCIは、時間-周波数リソース指示情報であることを示す。さらに、DCIの長さが、フォーマット1AのDCIの長さと同じであることが事前に設定されている場合、第1の端末は、DCIおよびフォーマット1AのDCIのために同じブラインド検出ポリシーを使用してよく、または、DCIの長さが、フォーマット1CのDCIの長さと同じであることが事前に設定されている場合、第1の端末は、DCIおよびフォーマット1CのDCIのために同じブラインド検出ポリシーを使用してよい。
【００８５】
任意の解決手段では、第1の端末は、システム帯域幅分割情報、例えば、図5および図6に示される情報を事前に記憶する。第1の端末は、解析を介して、時間-周波数リソース指示情報における時間領域フィールドおよび周波数領域フィールドに含まれるビットを取得し、次いで、各ビットと時間領域間の対応関係および各ビットと周波数領域間の対応関係に基づいて、指示された時間-周波数リソースを決定する。
【００８６】
ステップS305：第1の端末は、第1の時間-周波数リソース以外に、第2の時間-周波数リソースにおける、時間-周波数リソースを使用することによってデータを伝送する。
【００８７】
具体的には、第1の端末が第1の時間-周波数リソースを決定した後、基地局は、第1の端末が時間-周波数リソース指示情報を受信する前に、第2の時間-周波数リソースを第1の端末に割り当て、第1の時間-周波数リソースおよび第2の時間-周波数リソースは重複しているため、時間-周波数リソースを使用することの衝突を回避するために、第1の端末は、第2の時間-周波数リソース内にあり、第1の時間-周波数リソースと重複しない時間-周波数リソースを使用することによって、データを伝送する。
【００８８】
図3に示される方法では、基地局が、第2の時間-周波数リソースを第1の端末に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【００８９】
本発明の実施形態における方法は、上で詳細に説明された。本発明の実施形態における前述の解決手段をより良く実施することを助けるために、本発明の実施形態における装置が、対応して以下で提供される。
【００９０】
図7を参照すると、図7は、本発明の実施形態に係る基地局70を示す。基地局70は、プロセッサ701（1つまたは複数のプロセッサ701があってよく、図7における例として、1つのプロセッサが使用される）、メモリ702およびトランシーバ703を含む。本発明のいくつかの実施形態では、プロセッサ701、メモリ702およびトランシーバ703は、バスを使用することによって、または別の方式で接続されてよい。図7において、バス接続は例として使用される。
【００９１】
メモリ702は、データおよびプログラムを記憶するように構成される。
【００９２】
プロセッサ701は、メモリ702内のプログラムを呼び出して、
トランシーバ703を使用することによって、時間-周波数リソース指示情報を第1の端末に送信する操作であって、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである、操作と、
第2の時間-周波数リソース内にあり、第1の時間-周波数リソースと重複しない時間-周波数リソースを使用することによって、トランシーバ703を使用することによって、第1の端末とのデータ伝送を実行する操作とを実行する。
【００９３】
前述の操作では、基地局70が、第2の時間-周波数リソースを第1の端末に割り当てた後、基地局70が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【００９４】
任意の解決手段では、プロセッサ701が、トランシーバ703を使用することによって、時間-周波数リソース指示情報を第1の端末に送信することは、具体的には、
トランシーバ703を使用することによって、第kのサブフレーム内の物理ダウンリンク制御チャネルPDCCH上で、時間-周波数リソース指示情報を第1の端末に送信することであって、ここで、第1の時間-周波数リソースの時間領域は、第k-uのサブフレーム内にあり、kおよびuの両方は正の整数であり、k>uである。
【００９５】
別の任意の解決手段では、第1の時間-周波数リソースの時間領域は、第mの事前に設定された伝送時間単位と等しく、プロセッサ701が、トランシーバ703を使用することによって、時間-周波数リソース指示情報を第1の端末に送信することは、具体的には、
トランシーバ703を使用することによって、第nの事前に設定された伝送時間単位の制御チャネル上で、時間-周波数リソース指示情報を第1の端末に送信することであって、ここで、mおよびnの両方は正の整数であり、m<nである。
【００９６】
別の任意の解決手段では、時間-周波数リソース指示情報は、第1の時間-周波数リソースが、基地局によって第2の端末に割り当てられていること、および、第3の時間-周波数リソースが、別の端末に割り当てられていることを示すために使用され、ここで、第3の時間-周波数リソースの時間領域は、第tの事前に設定された伝送時間単位と等しく、tは正の整数であり、t<nであり、tはmと等しくない。
【００９７】
別の任意の解決手段では、第1の時間-周波数リソースの時間領域は、第mの事前に設定された伝送時間単位と等しく、プロセッサ701が、トランシーバ703を使用することによって、時間-周波数リソース指示情報を第1の端末に送信することは、具体的には、
トランシーバ703を使用することによって、第mの事前に設定された伝送時間単位の制御チャネル上で、時間-周波数リソース指示情報を第1の端末に送信することであって、ここで、mは正の整数である。
【００９８】
別の任意の解決手段では、トランシーバ703を使用することによって、時間-周波数リソース指示情報を第1の端末に送信する前に、プロセッサ701は、
トランシーバ703を使用することによって、時間-周波数リソース分割情報を第1の端末に送信するようにさらに構成され、ここで、時間-周波数リソース分割情報は、第1の時間-周波数リソースが、事前に設定された時間-周波数範囲における時間-周波数リソースであることを示すために使用され、事前に設定された時間-周波数範囲は、システム帯域幅における部分時間-周波数リソースである。
【００９９】
別の任意の解決手段では、時間-周波数リソース分割情報は、システム情報ブロックSIBで搬送される。
【０１００】
別の任意の解決手段では、時間-周波数リソース指示情報は、ダウンリンク制御情報DCIであり、DCIは、第1の時間-周波数リソースを示すフィールドを含む。
【０１０１】
別の任意の解決手段では、DCIの長さは、フォーマット1AにおけるDCIの長さまたはフォーマット1CにおけるDCIの長さと同じである。
【０１０２】
別の任意の解決手段では、DCIの長さが、フォーマット1AにおけるDCIの長さと同じである場合、DCIのスクランブリングシーケンスは、フォーマット1AにおけるDCIのスクランブリングシーケンスとは異なり、または、DCIの長さが、フォーマット1CにおけるDCIの長さと同じである場合、DCIのスクランブリングシーケンスは、フォーマット1CにおけるDCIのスクランブリングシーケンスとは異なる。
【０１０３】
別の任意の解決手段では、プロセッサ701が、トランシーバ703を使用することによって、時間-周波数リソース指示情報を第1の端末に送信することは、具体的には、
トランシーバ703を使用することによって、時間-周波数リソース指示情報を複数の端末に送信することであり、ここで、複数の端末は第1の端末を含む。
【０１０４】
本発明の本実施形態に記載される基地局70の具体的な実施については、図3に示される方法の実施形態における対応する説明を参照されたい。
【０１０５】
図7に記載される基地局によると、基地局70が、第2の時間-周波数リソースを第1の端末に割り当てた後、基地局70が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１０６】
図8を参照すると、図8は、本発明の実施形態に係る第1の端末80を示す。第1の端末80は、プロセッサ801（1つまたは複数のプロセッサ801があってよく、図8における例として、1つのプロセッサが使用される）、メモリ802およびトランシーバ803を含む。本発明のいくつかの実施形態では、プロセッサ801、メモリ802およびトランシーバ803は、バスを使用することによって、または別の方式で接続されてよい。図8において、バス接続は例として使用される。
【０１０７】
メモリ802は、データおよびプログラムを記憶するように構成される。
【０１０８】
プロセッサ801は、メモリ802内のプログラムを呼び出して、
トランシーバ803を使用することによって、基地局によって送信された時間-周波数リソース指示情報を受信する操作であって、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである、操作と、
第2の時間-周波数リソース内にあり、第1の時間-周波数リソースと重複しない時間-周波数リソースを使用することによって、トランシーバ803を使用することによって、第1の端末とのデータ伝送を実行する操作とを実行する。
【０１０９】
図8に記載される第1の端末80によると、基地局が、第2の時間-周波数リソースを第1の端末80に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末80は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１１０】
任意の解決手段では、プロセッサ801が、トランシーバ803を使用することによって、基地局によって送信された時間-周波数リソース指示情報を受信することは、具体的には、
トランシーバ803を使用することによって、第kのサブフレーム内の物理ダウンリンク制御チャネルPDCCH上で、基地局によって送信された時間-周波数リソース指示情報を受信することであって、ここで、第1の時間-周波数リソースの時間領域は、第k-uのサブフレーム内にあり、kおよびuの両方は正の整数であり、k>uである。
【０１１１】
別の任意の解決手段では、第1の時間-周波数リソースの時間領域は、第mの事前に設定された伝送時間単位と等しく、プロセッサ801が、トランシーバ803を使用することによって、基地局によって送信された時間-周波数リソース指示情報を受信することは、具体的には、
トランシーバ803を使用することによって、第nの事前に設定された伝送時間単位の制御チャネル上で、基地局によって送信された時間-周波数リソース指示情報を受信することであって、ここで、mおよびnの両方は正の整数であり、m<nである。
【０１１２】
別の任意の解決手段では、時間-周波数リソース指示情報は、第1の時間-周波数リソースが、基地局によって第2の端末に割り当てられていること、および、第3の時間-周波数リソースが、別の端末に割り当てられていることを示すために使用され、ここで、第3の時間-周波数リソースの時間領域は、第tの事前に設定された伝送時間単位と等しく、tは正の整数であり、t<nであり、tはmと等しくない。
【０１１３】
別の任意の解決手段では、第1の時間-周波数リソースの時間領域は、第mの事前に設定された伝送時間単位と等しく、プロセッサ801が、トランシーバ803を使用することによって、基地局によって送信された時間-周波数リソース指示情報を受信することは、具体的には、
トランシーバ803を使用することによって、第mの事前に設定された伝送時間単位の制御チャネル上で、基地局によって送信された時間-周波数リソース指示情報を受信することであって、ここで、mは正の整数である。
【０１１４】
別の任意の解決手段では、トランシーバ803を使用することによって、基地局によって送信された時間-周波数リソース指示情報を受信する前に、プロセッサ801は、
トランシーバ803を使用することによって、基地局によって送信された時間-周波数リソース分割情報を受信するようにさらに構成され、ここで、時間-周波数リソース分割情報は、第1の時間-周波数リソースが、事前に設定された時間-周波数範囲における時間-周波数リソースであることを示すために使用され、事前に設定された時間-周波数範囲は、システム帯域幅における部分時間-周波数リソースである。
【０１１５】
別の任意の解決手段では、時間-周波数リソース分割情報は、システム情報ブロックSIBで搬送される。
【０１１６】
別の任意の解決手段では、時間-周波数リソース指示情報は、ダウンリンク制御情報DCIであり、DCIは、第1の時間-周波数リソースを示すフィールドを含む。
【０１１７】
別の任意の解決手段では、DCIの長さは、フォーマット1AにおけるDCIの長さまたはフォーマット1CにおけるDCIの長さと同じである。
【０１１８】
別の任意の解決手段では、DCIの長さが、フォーマット1AにおけるDCIの長さと同じである場合、DCIのスクランブリングシーケンスは、フォーマット1AにおけるDCIのスクランブリングシーケンスとは異なり、または、DCIの長さが、フォーマット1CにおけるDCIの長さと同じである場合、DCIのスクランブリングシーケンスは、フォーマット1CにおけるDCIのスクランブリングシーケンスとは異なる。
【０１１９】
本発明の本実施形態に記載される第1の端末80の具体的な実施については、図3に示される方法の実施形態における対応する説明を参照されたい。
【０１２０】
図8に記載される第1の端末によると、基地局が、第2の時間-周波数リソースを第1の端末80に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末80は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１２１】
図9を参照すると、図9は、本発明の実施形態に係る、別の基地局90の概略構成図である。基地局90は、伝送ユニット901を含んでよい。伝送ユニット901は、時間-周波数リソース指示情報を第1の端末に送信するように構成される。時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである。
【０１２２】
伝送ユニット901は、第2の時間-周波数リソース内にあり、第1の時間-周波数リソースと重複しない時間-周波数リソースを使用することによって、第1の端末とのデータ伝送を実行するようにさらに構成される。
【０１２３】
前述のユニットを実行することによって、基地局90が、第2の時間-周波数リソースを第1の端末に割り当てた後、基地局90が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１２４】
任意の解決手段では、伝送ユニット901が、時間-周波数リソース指示情報を第1の端末に送信することは、具体的には、
第kのサブフレーム内の物理ダウンリンク制御チャネルPDCCH上で、時間-周波数リソース指示情報を第1の端末に送信することであって、ここで、第1の時間-周波数リソースの時間領域は、第k-uのサブフレーム内にあり、kおよびuの両方は正の整数であり、k>uである。
【０１２５】
別の任意の解決手段では、第1の時間-周波数リソースの時間領域は、第mの事前に設定された伝送時間単位と等しく、伝送ユニット901が、時間-周波数リソース指示情報を第1の端末に送信することは、具体的には、
第nの事前に設定された伝送時間単位の制御チャネル上で、時間-周波数リソース指示情報を第1の端末に送信することであって、ここで、mおよびnの両方は正の整数であり、m<nである。
【０１２６】
別の任意の解決手段では、時間-周波数リソース指示情報は、第1の時間-周波数リソースが、基地局によって第2の端末に割り当てられていること、および、第3の時間-周波数リソースが、別の端末に割り当てられていることを示すために使用され、ここで、第3の時間-周波数リソースの時間領域は、第tの事前に設定された伝送時間単位と等しく、tは正の整数であり、t<nであり、tはmと等しくない。
【０１２７】
別の任意の解決手段では、第1の時間-周波数リソースの時間領域は、第mの事前に設定された伝送時間単位と等しく、伝送ユニット901が、時間-周波数リソース指示情報を第1の端末に送信することは、具体的には、
第mの事前に設定された伝送時間単位の制御チャネル上で、時間-周波数リソース指示情報を第1の端末に送信することであって、ここで、mは正の整数である。
【０１２８】
別の任意の解決手段では、伝送ユニット901が、時間-周波数リソース指示情報を第1の端末に送信する前に、伝送ユニット901は、時間-周波数リソース分割情報を第1の端末に送信するようにさらに構成され、ここで、時間-周波数リソース分割情報は、第1の時間-周波数リソースが、事前に設定された時間-周波数範囲における時間-周波数リソースであることを示すために使用され、事前に設定された時間-周波数範囲は、システム帯域幅における部分時間-周波数リソースである。
【０１２９】
別の任意の解決手段では、時間-周波数リソース分割情報は、システム情報ブロックSIBで搬送される。
【０１３０】
別の任意の解決手段では、時間-周波数リソース指示情報は、ダウンリンク制御情報DCIであり、DCIは、第1の時間-周波数リソースを示すフィールドを含む。
【０１３１】
別の任意の解決手段では、DCIの長さは、フォーマット1AにおけるDCIの長さまたはフォーマット1CにおけるDCIの長さと同じである。
【０１３２】
別の任意の解決手段では、DCIの長さが、フォーマット1AにおけるDCIの長さと同じである場合、DCIのスクランブリングシーケンスは、フォーマット1AにおけるDCIのスクランブリングシーケンスとは異なり、または、DCIの長さが、フォーマット1CにおけるDCIの長さと同じである場合、DCIのスクランブリングシーケンスは、フォーマット1CにおけるDCIのスクランブリングシーケンスとは異なる。
【０１３３】
別の任意の解決手段では、伝送ユニット901が、時間-周波数リソース指示情報を第1の端末に送信することは、具体的には、
時間-周波数リソース指示情報を複数の端末に送信することであって、ここで、複数の端末は第1の端末を含む。
【０１３４】
本発明の本実施形態における伝送ユニット901の具体的な実施については、図3に示される方法の実施形態における対応する説明を参照されたい。
【０１３５】
図9に示される基地局90によると、基地局90が、第2の時間-周波数リソースを第1の端末に割り当てた後、基地局90が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１３６】
図10を参照すると、図10は、本発明の実施形態に係る、別の第1の端末100の概略構成図である。第1の端末100は、伝送ユニット1001を含んでよい。伝送ユニット1001は、基地局によって送信された時間-周波数リソース指示情報を受信する。時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである。
【０１３７】
伝送ユニット1001は、第2の時間-周波数リソース内にあり、第1の時間-周波数リソースと重複しない時間-周波数リソースを使用することによって、基地局とのデータ伝送を実行するようにさらに構成される。
【０１３８】
前述のユニットを実行することによって、基地局が、第2の時間-周波数リソースを第1の端末100に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末100は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１３９】
任意の解決手段では、第1の端末が、基地局によって送信された時間-周波数リソース指示情報を受信することは、
第kのサブフレーム内の物理ダウンリンク制御チャネルPDCCH上で、基地局によって送信された時間-周波数リソース指示情報を受信することを含み、ここで、第1の時間-周波数リソースの時間領域は、第k-uのサブフレーム内にあり、kおよびuの両方は正の整数であり、k>uである。
【０１４０】
任意の解決手段では、第1の時間-周波数リソースの時間領域は、第mの事前に設定された伝送時間単位と等しく、第1の端末が、基地局によって送信された時間-周波数リソース指示情報を受信することは、
第nの事前に設定された伝送時間単位の制御チャネル上で、基地局によって送信された時間-周波数リソース指示情報を受信することを含み、ここで、mおよびnの両方は正の整数であり、m<nである。
【０１４１】
任意の解決手段では、時間-周波数リソース指示情報は、第1の時間-周波数リソースが、基地局によって第2の端末に割り当てられていること、および、第3の時間-周波数リソースが、別の端末に割り当てられていることを示すために使用され、ここで、第3の時間-周波数リソースの時間領域は、第tの事前に設定された伝送時間単位と等しく、tは正の整数であり、t<nであり、tはmと等しくない。
【０１４２】
別の任意の解決手段では、第1の時間-周波数リソースの時間領域は、第mの事前に設定された伝送時間単位と等しく、第1の端末が、基地局によって送信された時間-周波数リソース指示情報を受信することは、
第mの事前に設定された伝送時間単位の制御チャネル上で、基地局によって送信された時間-周波数リソース指示情報を受信することを含み、ここで、mは正の整数である。
【０１４３】
別の任意の解決手段では、第1の端末が、基地局によって送信された時間-周波数リソース指示情報を受信する前に、第1の端末は、
基地局によって送信された時間-周波数リソース分割情報を受信するようにさらに構成され、ここで、時間-周波数リソース分割情報は、第1の時間-周波数リソースが、事前に設定された時間-周波数範囲における時間-周波数リソースであることを示すために使用され、事前に設定された時間-周波数範囲は、システム帯域幅における部分時間-周波数リソースである。
【０１４４】
別の任意の解決手段では、時間-周波数リソース分割情報は、システム情報ブロックSIBで搬送される。
【０１４５】
別の任意の解決手段では、時間-周波数リソース指示情報は、ダウンリンク制御情報DCIであり、DCIは、第1の時間-周波数リソースを示すフィールドを含む。
【０１４６】
別の任意の解決手段では、DCIの長さは、フォーマット1AにおけるDCIの長さまたはフォーマット1CにおけるDCIの長さと同じである。
【０１４７】
別の任意の解決手段では、DCIの長さが、フォーマット1AにおけるDCIの長さと同じである場合、DCIのスクランブリングシーケンスは、フォーマット1AにおけるDCIのスクランブリングシーケンスとは異なり、または、DCIの長さが、フォーマット1CにおけるDCIの長さと同じである場合、DCIのスクランブリングシーケンスは、フォーマット1CにおけるDCIのスクランブリングシーケンスとは異なる。
【０１４８】
本発明の本実施形態における伝送ユニット1001の具体的な実施については、図3に示される方法の実施形態における対応する説明を参照されたい。
【０１４９】
図10に記載される第1の端末100によると、基地局が、第2の時間-周波数リソースを第1の端末100に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末100は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１５０】
本発明の実施形態における方法および装置は、上で詳細に説明された。本発明の実施形態における前述の解決手段をより良く実施することを助けるために、本発明の実施形態における関連システムが、対応して以下で提供される。
【０１５１】
図11を参照すると、図11は、本発明の実施形態に係る、通信システム110の概略構成図である。通信システム110は、基地局1101および第1の端末1102を含む。基地局1101および第1の端末1102は、次のように説明される：
【０１５２】
基地局1101は、時間-周波数リソース指示情報を、第1の端末に送信するように構成される。
【０１５３】
第1の端末1102は、基地局によって送信された時間-周波数リソース指示情報を受信するように構成され、ここで、時間-周波数リソース指示情報は、第1の時間-周波数リソースが、基地局によって第2の端末に割り当てられていることを示すために使用され、第1の時間-周波数リソースの時間領域は、第2の時間-周波数リソースの時間領域の一部であり、第2の時間-周波数リソースは、基地局によって、データ伝送のために第1の端末に割り当てられる時間-周波数リソースである。
【０１５４】
基地局1101は、第2の時間-周波数リソース内にあり、第1の時間-周波数リソースと重複しない時間-周波数リソースを使用することによって、第1の端末1102とのデータ伝送を実行するようにさらに構成される。
【０１５５】
任意の解決手段では、基地局1101は、図7に示される基地局70または図9に示される基地局90であり、第1の端末1102は、図8に示される第1の端末80または図10に示される第1の端末100である。
【０１５６】
通信システム110の具体的な実施については、図3に示される方法の実施形態および図7乃至図10に示される装置の実施形態を参照されたいことは留意されるべきである。
【０１５７】
図11に記載される通信システム110では、基地局が、第2の時間-周波数リソースを第1の端末に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１５８】
結論として、本発明の実施形態を実施することによって、基地局が、第2の時間-周波数リソースを第1の端末に割り当てた後、基地局が、短い待ち時間のサービス要件に従って、第1の時間-周波数リソースを第2の端末に割り当て、第1の時間-周波数リソースおよび第2の時間-周波数リソースが重複している場合、第1の端末は、第2の時間-周波数リソース内にあり、第1の時間-周波数リソースと重複しない時間-周波数リソースを使用することによって、データ伝送を実行し、その結果、時間-周波数リソースの利用が改善されるだけでなく、短い待ち時間のサービスのタイムリーな処理も保証される。
【０１５９】
当業者は、実施形態における方法のプロセスの全てまたは一部が、関連ハードウェアに命令するコンピュータプログラムによって実施され得ることを理解することができる。プログラムは、コンピュータ可読記憶媒体に記憶されてよい。プログラムが実行されると、実施形態における方法のプロセスが実行される。前述の記憶媒体は、ROM、RAM、磁気ディスクまたは光ディスク等の、プログラムコードを記憶することができる任意の媒体を含む。
【０１６０】
上で開示されることは、本発明の実施形態の単なる例であり、確かに、本発明の保護範囲を限定するように意図されない。当業者は、前述の実施形態を実施するプロセスの全てまたは一部、および本発明の特許請求の範囲に従って行われる均等な変更が、本発明の範囲に包含されるべきであることを理解することができる。
【符号の説明】
【０１６１】
70  基地局
80  第1の端末
90  基地局
100  第1の端末
110  通信システム
701  プロセッサ
702  メモリ
703  トランシーバ
801  プロセッサ
802  メモリ
803  トランシーバ
901  伝送ユニット
1001  伝送ユニット
1101  基地局
1102  第1の端末
【図１】
2019521563.tif 000003
【図２Ａ】
2019521563.tif 000004
【図２Ｂ】
2019521563.tif 000005
【図３】
2019521563.tif 000006
【図４】
2019521563.tif 000007
【図５】
2019521563.tif 000008
【図６】
2019521563.tif 000009
【図７】
2019521563.tif 000010
【図８】
2019521563.tif 000011
【図９】
2019521563.tif 000012
【図１０】
2019521563.tif 000013
【図１１】
2019521563.tif 000014
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
リソース指示方法であって、
第1の端末によって、先取されることができる時間-周波数リソースの分割を示す情報を、基地局から受信するステップであって、先取されることができる前記時間-周波数リソースの前記分割は、少なくとも1つの時間領域ユニットおよび少なくとも1つの周波数領域ユニットを含む、ステップと、
前記第1の端末によって、時間-周波数リソース指示情報を、前記基地局から受信するステップであって、前記時間-周波数リソース指示情報は、第1の時間-周波数リソースが先取されたことを示し、前記第1の時間-周波数リソースは、前記少なくとも1つの時間領域ユニット内の先取された時間領域ユニットと、前記少なくとも1つの周波数領域ユニット内の先取された周波数領域ユニットとを含む、ステップとを含む方法。
【請求項２】
前記時間-周波数リソース指示情報は、前記第1の時間-周波数リソース内の前記先取された時間領域ユニットを示す時間領域フィールドを含み、
前記時間領域フィールドは、前記先取された時間領域ユニットに一対一でマッピングされたビットを含む、請求項1に記載の方法。
【請求項３】
前記時間-周波数リソース指示情報は、前記第1の時間-周波数リソース内の前記先取された周波数領域ユニットを示す周波数領域フィールドを含み、
前記周波数領域フィールドは、前記先取された周波数領域ユニットに一対一でマッピングされたビットを含む、請求項1または2に記載の方法。
【請求項４】
前記時間-周波数リソース指示情報は、前記先取された時間領域ユニットと前記先取された周波数領域ユニットの組合せを示すフィールドを含む、請求項1に記載の方法。
【請求項５】
前記第1の端末によって、時間-周波数リソース割当てメッセージを、前記基地局から受信するステップであって、前記時間-周波数リソース割当てメッセージは、データ伝送のために第2の時間-周波数リソースを割り当て、前記第2の時間-周波数リソースは、前記第1の時間-周波数リソースと重複する、ステップと、
前記第1の端末によって、前記第2の時間-周波数リソース内にあり、前記第1の時間-周波数リソースと重複しない時間-周波数リソースを使用することによって、前記基地局との前記データ伝送を実行するステップとをさらに含む、請求項1乃至4のいずれか1項に記載の方法。
【請求項６】
第1の端末であって、
先取されることができる時間-周波数リソースの分割を示す情報を、基地局から受信するための手法であって、先取されることができる前記時間-周波数リソースの前記分割は、少なくとも1つの時間領域ユニットおよび少なくとも1つの周波数領域ユニットを含む、手法と、
時間-周波数リソース指示情報を、前記基地局から受信するための手法であって、前記時間-周波数リソース指示情報は、第1の時間-周波数リソースが先取されたことを示し、前記第1の時間-周波数リソースは、前記少なくとも1つの時間領域ユニット内の先取された時間領域ユニットと、前記少なくとも1つの周波数領域ユニット内の先取された周波数領域ユニットとを含む、手法とを含む第1の端末。
【請求項７】
前記時間-周波数リソース指示情報は、前記第1の時間-周波数リソース内の前記先取された時間領域ユニットを示す時間領域フィールドを含み、
前記時間領域フィールドは、前記先取された時間領域ユニットに一対一でマッピングされたビットを含む、請求項6に記載の端末。
【請求項８】
前記時間-周波数リソース指示情報は、前記第1の時間-周波数リソース内の前記先取された周波数領域ユニットを示す周波数領域フィールドを含み、
前記周波数領域フィールドは、前記先取された周波数領域ユニットに一対一でマッピングされたビットを含む、請求項6または7に記載の端末。
【請求項９】
前記時間-周波数リソース指示情報は、前記先取された時間領域ユニットと前記先取された周波数領域ユニットの組合せを示すフィールドを含む、請求項6に記載の端末。
【請求項１０】
時間-周波数リソース割当てメッセージを、前記基地局から受信するための手法であって、前記時間-周波数リソース割当てメッセージは、データ伝送のために第2の時間-周波数リソースを割り当て、前記第2の時間-周波数リソースは、前記第1の時間-周波数リソースと重複する、手法と、
前記第2の時間-周波数リソース内にあり、前記第1の時間-周波数リソースと重複しない時間-周波数リソースを使用することによって、前記基地局との前記データ伝送を実行するための手法とをさらに含む、請求項6乃至9のいずれか1項に記載の端末。
【請求項１１】
リソース指示方法であって、
基地局によって、先取されることができる時間-周波数リソースの分割を示す情報を、第1の端末に送信するステップであって、先取されることができる前記時間-周波数リソースの前記分割は、少なくとも1つの時間領域ユニットおよび少なくとも1つの周波数領域ユニットを含む、ステップと、
前記基地局によって、時間-周波数リソース指示情報を送信するステップであって、前記時間-周波数リソース指示情報は、第1の時間-周波数リソースが先取されたことを示し、前記第1の時間-周波数リソースは、前記少なくとも1つの時間領域ユニット内の先取された時間領域ユニットと、前記少なくとも1つの周波数領域ユニット内の先取された周波数領域ユニットとを含む、ステップとを含む方法。
【請求項１２】
前記時間-周波数リソース指示情報は、前記第1の時間-周波数リソース内の前記先取された時間領域ユニットを示す時間領域フィールドを含み、
前記時間領域フィールドは、前記先取された時間領域ユニットに一対一でマッピングされたビットを含む、請求項11に記載の方法。
【請求項１３】
前記時間-周波数リソース指示情報は、前記第1の時間-周波数リソース内の前記先取された周波数領域ユニットを示す周波数領域フィールドを含み、
前記周波数領域フィールドは、前記先取された周波数領域ユニットに一対一でマッピングされたビットを含む、請求項11または12に記載の方法。
【請求項１４】
前記時間-周波数リソース指示情報は、前記先取された時間領域ユニットと前記先取された周波数領域ユニットの組合せを示すフィールドを含む、請求項11に記載の方法。
【請求項１５】
前記基地局によって、時間-周波数リソース割当てメッセージを送信するステップであって、前記時間-周波数リソース割当てメッセージは、データ伝送のために第2の時間-周波数リソースを割り当て、前記第2の時間-周波数リソースは、前記第1の時間-周波数リソースと重複する、ステップと、
前記基地局によって、前記第2の時間-周波数リソース内にあり、前記第1の時間-周波数リソースと重複しない時間-周波数リソースを使用することによって、前記第1の端末との前記データ伝送を実行するステップとをさらに含む、請求項11乃至14のいずれか1項に記載の方法。
【請求項１６】
基地局であって、
先取されることができる時間-周波数リソースの分割を示す情報を、第1の端末に伝送するための手法であって、先取されることができる前記時間-周波数リソースは、少なくとも1つの時間領域ユニットおよび少なくとも1つの周波数領域ユニットを含む、手法と、
時間-周波数リソース指示情報を、前記第1の端末に伝送するための手法であって、前記時間-周波数リソース指示情報は、第1の時間-周波数リソースが先取されたことを示し、前記第1の時間-周波数リソースは、前記少なくとも1つの時間領域ユニット内の先取された時間領域ユニットと、前記少なくとも1つの周波数領域ユニット内の先取された周波数領域ユニットである、手法とを含む基地局。
【請求項１７】
前記時間-周波数リソース指示情報は、前記第1の時間-周波数リソース内の前記先取された時間領域ユニットを示す時間領域フィールドを含み、
前記時間領域フィールドは、前記先取された時間領域ユニットに一対一でマッピングされたビットを含む、請求項16に記載の基地局。
【請求項１８】
前記時間-周波数リソース指示情報は、前記第1の時間-周波数リソース内の前記先取された周波数領域ユニットを示す周波数領域フィールドを含み、
前記周波数領域フィールドは、前記先取された周波数領域ユニットに一対一でマッピングされたビットを含む、請求項16または17に記載の基地局。
【請求項１９】
前記時間-周波数リソース指示情報は、前記先取された時間領域ユニットと前記先取された周波数領域ユニットの組合せを示すフィールドを含む、請求項16に記載の基地局。
【請求項２０】
時間-周波数リソース割当てメッセージを、前記第1の端末に伝送するための手法であって、前記時間-周波数リソース割当てメッセージは、データ伝送のために第2の時間-周波数リソースを割り当て、前記第2の時間-周波数リソースは、前記第1の時間-周波数リソースと重複する、手法と、
前記第2の時間-周波数リソース内にあり、前記第1の時間-周波数リソースと重複しない時間-周波数リソースを使用することによって、前記第1の端末との前記データ伝送を実行するための手法とをさらに含む、請求項16乃至19のいずれか1項に記載の基地局。
【請求項２１】
プログラムが記録されているコンピュータ可読記憶媒体であって、前記プログラムは、コンピュータに、請求項1乃至5のいずれか1項に記載の方法を実行させる、コンピュータ可読記憶媒体。
【請求項２２】
プログラムが記録されているコンピュータ可読記憶媒体であって、前記プログラムは、コンピュータに、請求項11乃至15のいずれか1項に記載の方法を実行させる、コンピュータ可読記憶媒体。
【国際調査報告】
2019521563.tif 000015
2019521563.tif 000016
2019521563.tif 000017
2019521563.tif 000018
2019521563.tif 000019
2019521563.tif 000020